(57)【要約】【課題】  共振コイルやトランス等のインダクタンス部品を筐体に取り付ける際に、金属製カバーにコアを押さえるための突出部が必要となり、小型化や放熱性向上の妨げとなっていた。【解決手段】  ベースプレート１上にインダクタンス部品、プリント基板３を配置し、インダクタンス部品のコア２ａの上面に圧縮性のある伝熱シート５を設け、金属平板４をねじ等でベースプレート１に固定することにより、伝熱シート５が加圧され、コア２ａとコア２ｂを固定するようにした。【選択図】      図１
2017195326.tif 000002
【特許請求の範囲】
【請求項１】
ベースプレートと、
上記ペースプレートに取り付けられた突起部と、
上記突起部にねじ締結により保持された金属平板と、
上記ベースプレートに接した下部のコアと、
上記下部のコアに接した上部のコアと、
上記上部のコアと下部のコアの間に配置され、上記上部のコアおよび下部のコアとともにインダクタンス部品を構成するコイルを形成するプリント基板と、
上記金属平板と上記上部のコアの間に配置され、上記ねじ締結により圧縮した高圧縮性の伝熱シートと、
を備えた電源装置。
【発明の詳細な説明】
【技術分野】
【０００１】
この発明は、トランス、共振コイル、チョークコイル等のインダクタンス部品を保持した電源装置に関する。
【背景技術】
【０００２】
スイッチング電源は、インダクタンス部品の保持構造に放熱部を設けている。従来、金属製のベースプレートに柱状突起を設け、柱状突起に金属製のカバーの天板部を締結し、カバーの天板部に突出部を形成して、ベースプレートと突出部によりトランスのコアを挟持した電源装置が開示されている（例えば特許文献１参照）。この電源装置は、カバーに形成した突出部が、トランスのコアに押圧接触するとともに、突出部間に伝熱シートを設けて、コアに接触させている。これによりトランスの温度上昇を抑え、電源装置の損失を抑制している。
【先行技術文献】
【特許文献】
【０００３】
【特許文献１】特開２００７−６６３５号公報
【発明の概要】
【発明が解決しようとする課題】
【０００４】
図２は、特許文献１に示す従来の電源装置におけるインダクタンス部品の保持構造を例示した図である。
図２において、インダクタンス部品であるトランスは、上下のコア２ａ，２ｂと、コイルを形成するプリント基板３から構成される。放熱用ベースプレート１はコア２ｂの発熱を逃がす。金属製カバー６は、コア２ａの冷却用の突出部６ａを有する。突出部６ａは金属製カバー６のコア２ａ側に突出しており、金属製カバー６がねじ止めによりベースプレート１に固定されることによって、突出部６ａがコア２ａの上面を押しつけ、コア２ａとコア２ｂが保持される。このようにコア２ａとコア２ｂを金属製カバー６とベースプレート１とで挟み込む構造になっており、コア２ａとコア２ｂの上下両面から放熱を行っている。
【０００５】
この保持構造は、コアをベースプレート１に押さえつける力を確保するために突出部６ａの突出寸法を大きくする必要があり、このことが装置の低背化の妨げとなっているという問題があった。
【０００６】
また、伝熱シート５は上部コア２ａと金属製カバー６との熱抵抗を小さくするために設けられている。突出部６ａの寸法が大きいため、伝熱シート５の厚みが大きくなり、十分な冷却効果を得られないという問題があった。
【０００７】
さらに、金属製カバー６の突出部６ａを加工成形する作業が発生し、低コスト化を妨げるという問題があった。
【０００８】
この発明は、かかる課題を解決するためになされたものであって、小型でかつ放熱特性に優れたインダクタンス部品の保持構造を有した電源装置を、安価に提供することを目的とする。
【課題を解決するための手段】
【０００９】
この発明による電源装置は、ベースプレートと、上記ペースプレートに取り付けられた突起部と、上記突起部にねじ締結により保持された金属平板と、上記ベースプレートに接した下部のコアと、上記下部のコアに接した上部のコアと、上記上部のコアと下部のコアの間に配置され、上記上部のコアおよび下部のコアとともにインダクタンス部品を構成するコイルを形成するプリント基板と、上記金属平板と上記上部のコアの間に配置され、上記ねじ締結により圧縮した高圧縮性の伝熱シートとを備えたものである。
【発明の効果】
【００１０】
この発明によれば、小型でかつ放熱特性に優れたインダクタンス部品の保持構造を有した電源装置を、安価に提供することができる。
【図面の簡単な説明】
【００１１】
【図１】この発明の実施の形態１による電源装置のインダクタンス部品の保持構造を説明する図である。
【図２】従来の電源装置のインダクタンス部品の保持構造を説明する図である。
【発明を実施するための形態】
【００１２】
実施の形態１．
図１は、この発明に係る実施の形態１による電源装置におけるインダクタンス部品の保持構造を示す図である。実施の形態１による電源装置は、トランス、共振コイル、チョークコイル等のインダクタンス部品を有して、例えばスイッチング電源を構成する。図１において、実施の形態１による電源装置は、放熱用ベースプレート１と、上部のコア２ａと、下部のコア２ｂと、プリント基板３と、金属平板４と、伝熱シート５から構成される。コア２ａ，２ｂとプリント基板３は、インダクタンス部品として例えばトランスを構成する。
【００１３】
ベースプレート１は突起部６が形成される。突起部６はベースプレート１と別体に形成されても良い。ベースプレート１はコア２ｂの発熱を逃がす放熱用ベースプレートである。ベースプレート１の裏面は図示しない複数の柱状または板状突起（ヒートシンク）が形成されていても良い。プリント基板３はコア２ａ，２ｂの周辺に配置され、トランスを構成するコイルパターン３ｂが形成されている。プリント基板３のコイルパターン３ｂはコア２ａ，２ｂに挟まれ、コア２ａ，２ｂに形成される穴２ｃに収容される。プリント基板３はねじ等によりベースプレート１に保持される。伝熱シート５は圧縮性を有している。伝熱シート５は、例えば熱で相変化する特殊シリコーン製のフェイズチェンジ材(Phase Change Material)を使用したフェイズチェンジシートを用いる。フェイズチェンジシートは、発熱体から発生する熱により相変化、溶融して固体シートから液状流動性体に変化することで熱抵抗が低下し、シートの圧縮性も高い。
【００１４】
コア２ａとコア２ｂは、コイルパターンが形成されたプリント基板３を挟み込むことによって、トランスを構成する。コア２ｂはベースプレート１の上に接触した状態で配置され、コア２ａの上面には伝熱シート５が配置される。金属平板４はベースプレート１の突起部６の上面に固定され、ねじ７により締結される。
【００１５】
伝熱シート５は金属平板４とコア２ａの間に挟まれる。伝熱シート５は、ねじ７の締結力により加圧され、固定される。同時に、コア２ａとコア２ｂが、ねじ７の締結力によって、共締めにより固定される。このとき圧縮性のある冷却シート５が適切な力で押し潰されることにより、コア２ａとコア２ｂの保持構造において所要の耐振動性能および放熱性能を確保することができる。また、特許文献１に示す従来の電源装置におけるインダクタンス部品の保持構造のように、金属平板４に寸法の大きな突出部を設ける必要がない。
【００１６】
実施の形態１によるトランスは、コア２ｂにＩ型のコアを使用し、ベースプレート１に設けた凹部形状によりコア２ｂの位置決めを行う。また、コア２ａにＥ型のコアを使用し、プリント基板３を穴２ｃで位置決めすることにより、組立性を向上することができる。また、コア２ｂとベースプレート１の間に、放熱用グリースを塗布することにより、放熱性を更に向上することができる。
【００１７】
以上説明した通り、実施の形態１による電源装置は、金属平板４に突出部が不要となるので、コア２ａと金属平板４の距離が短くなり、小型化を実現できる。また、当該距離が短くなることよって、伝熱シート５の厚さが薄くなり、熱抵抗が小さくなることで、より良好な放熱効果を得られる。さらに、金属平板４において突出部の加工が不要となるので、低コスト化を実現できる。
【符号の説明】
【００１８】
１  ベースプレート、２ａ  コア（上部のコア）、２ｂ  コア（下部のコア）、３  プリント基板、４  金属平板、５  伝熱シート、６  金属製カバー、６ａ  突出部、７  ねじ。
【図１】
2017195326.tif 000003
【図２】
2017195326.tif 000004